(57)【要約】【課題】複雑なＭＭＩをショートカットさせ、利便性を高めること。【解決手段】通信装置は、テキスト文書表示時に、あらかじめ登録したキーワードを検索し、ハイライト表示させる手段を備える。【選択図】図１
2009070222.tif 000002
【特許請求の範囲】
【請求項１】
テキスト文書表示時に、あらかじめ登録したキーワードを検索し、ハイライト表示させる手段を備えることを特徴とする通信装置。
【請求項２】
前記ハイライト表示させたキーワードを選択すると、あらかじめ登録した機能が立ち上がる手段を備えることを特徴とする請求項１記載の通信装置。
【請求項３】
テキスト文書表示時に、あらかじめ登録したキーワードを検索し、ハイライト表示させることを特徴とする通信装置のＭＭＩ方法。
【請求項４】
前記ハイライト表示させたキーワードを選択すると、あらかじめ登録した機能を立ち上がらせることを特徴とする請求項３記載の通信装置のＭＭＩ方法。
【請求項５】
コンピュータに、テキスト文書表示時に、あらかじめ登録したキーワードを検索し、ハイライト表示させる機能を実現させることを特徴とするプログラム。
【請求項６】
コンピュータに、前記ハイライト表示させたキーワードを選択すると、あらかじめ登録した機能が立ち上がる機能を実現させることを特徴とする請求項５記載のプログラム。
【発明の詳細な説明】
【技術分野】
【０００１】
本発明は通信装置のＭＭＩに関する。
【背景技術】
【０００２】
近年の携帯電話機器等の通信装置では高機能化が進み、メール、Ｗｅｂ閲覧、カメラ、音楽再生、ＧＰＳ、デジタルＴＶ、ＲＦＩＣ、スケジュール管理、電卓など非常にたくさんの機能を備えている。
【０００３】
ここで、ＷＷＷサーバのハードディスクドライブは、予め設定されたキーワードと、キーワードに対応するネットワーク上のファイルを一意に指定するアドレスとの関係を記録し、ＷＷＷサーバのＣＰＵは、情報処理装置から受信したテキストのデータに含まれるキーワードを、キーワードに対応するアドレスに関連付けるためのタグ付きデータに変換することで、他の利用者に、簡単にかつ迅速に、情報の所在を一意に指示するアドレスを伝達できるようにする技術や指定語句がキーワードテーブルと一致するときにリンク情報を表示する技術が提案されている（例えば、特許文献１、２参照）。
【０００４】
また、サーバ装置によって、テキストファイルの作成者からこのテキストファイルを受信し、ハードディスク装置に一時保持し、所定のデータテーブルに基づいて、テキストファイル中に含まれる文字列に対してリンク情報を付与し、ＨＴＭＬファイルを生成することで、リンクの設定を簡便且つ確実に行うとともに、ページデザインを損なうことなく効果的に広告目的のリンクを挿入する技術が提案されている（例えば、特許文献３参照）。
【０００５】
また、メール機能を有する利用者端末から、メール受信要求があった場合、メールスプールから該当メールデータを取り出した後、取得したメールデータの文を形態素解析してメール文中に存在する単語を抽出する単語抽出部と、単語抽出部から抽出単語を受け取り、利用者個人情報記憶手段から抽出された、個人情報と併せて、検索条件のキーワードとして、情報素材記憶手段から提供情報を検索して抽出するリンク情報生成部と、メール文中に存在する、抽出単語に対してＨＴＭＬデータのリンクタブを付加するとともに、キーワード群をＵＲＬのパラメータとしてリンク先ＵＲＬに付加するＨＴＭＬデータ生成手段と、を有することで、メール本文に含まれた単語を元に提供する情報を選択し、メール本文中の単語にリンク情報として付加する事により、利用者に適切な情報の提供を行う技術が提案されている（例えば、特許文献４参照）。
【特許文献１】特開２０００−３４７９７１号公報
【特許文献２】特開平０４−０９６１５２号公報
【特許文献３】特開２００２−１３２８３６号公報
【特許文献４】特開２００５−２６７１８７号公報
【発明の開示】
【発明が解決しようとする課題】
【０００６】
しかしながら、上述の関連技術では、機能が増えている、それを扱うためのＭＭＩは複雑となり、時間がかかり、難しくなるという問題があった。
【０００７】
本発明は、以上のような課題を解決するためになされたもので、複雑なＭＭＩをショートカットさせ、利便性を高めることができる通信装置、そのＭＭＩ方法およびプログラムを提供することを目的とする。
【課題を解決するための手段】
【０００８】
本発明の通信装置は、テキスト文書表示時に、あらかじめ登録したキーワードを検索し、ハイライト表示させる手段を備えることを特徴とする。
【０００９】
また、本発明の通信装置のＭＭＩ方法は、テキスト文書表示時に、あらかじめ登録したキーワードを検索し、ハイライト表示させることを特徴とする。
【００１０】
また、本発明のプログラムは、コンピュータに、テキスト文書表示時に、あらかじめ登録したキーワードを検索し、ハイライト表示させる機能を実現させることを特徴とする。
【発明の効果】
【００１１】
本発明によれば、複雑なＭＭＩをショートカットさせ、利便性を高めることができる。
【発明を実施するための最良の形態】
【００１２】
以下、本発明の実施の形態について図面を参照して詳細に説明する。本発明の構成を図１を用いて説明する。
【００１３】
本発明の携帯電話機器はメモリ（０１）、ＬＣＤ（０２）、ＣＰＵ（０３）、各種機能（０４）で構成される。
【００１４】
メモリ（０１）はユーザーが設定したキーワードおよび、キーワードに対応する機能を記憶する。
【００１５】
ＬＣＤ（０２）は受信したメール文書、Ｗｅｂページなどを表示する機能を備える。
【００１６】
ＣＰＵ（０３）は各種機能（０４）を動作させる機能を備える。
【００１７】
本発明の実施の形態を説明する。
図２のように、まずユーザーが事前に簡易起動させたい機能（１２）と、機能を起動させるためのキーワード（１１）を設定する。
【００１８】
複数の機能が設定できるものとする。一つの機能を起動させるためのキーワードは複数設定できるものとする。
【００１９】
設定された機能およびキーワードはメモリ（０１）に格納される。
【００２０】
図３のように、メール文書やＷｅｂページなどのテキスト形式の文書を閲覧する場合、ＣＰＵ（０３）はメモリ（０１）からキーワード設定を読み込み、ＬＣＤ（０２）に表示されるテキスト文書から設定されたキーワードが含まれるか検索する。
【００２１】
設定されたキーワードが含まれる場合、そのキーワードをハイライト表示する。
【００２２】
ハイライト表示されたキーワードはユーザーによって選択することが可能で、選択することでキーワードに対応した各種機能（０４）が起動する。
【００２３】
ここで、キーワード検索は、下記の状況で行うものとする。
・Ｗｅｂ閲覧時
・メール文書閲覧時
・テキスト文書閲覧時
【００２４】
キーワードで起動する機能一覧
・電話帳編集
・電話発信
・Ｗｅｂビューア
・新規メール作成
・スケジュール機能
【００２５】
以下に具体的な第一の実施例を記載する。
（スケジュール機能の実施例）
キーワード設定で機能：スケジュール機能、キーワード：予定、計画と設定する。
【００２６】
例文として「次回の会議は来週月曜日を「予定」しています」、「５月２３日に海へ行く「計画」があります」などとあったときに、ハイライトされたキーワードを選択すれば、すぐにスケジュール機能が立ち上がり、記録することができる。
【００２７】
以下に具体的な第二の実施例を記載する。
（電話番号の実施例）
キーワード設定の応用例で、ワイルドカードを使用することで、汎用性を持たせる。例えば電話番号をキーワードとする場合、
キーワード設定：***-***-****
**-****-****
***(***)****
**(****)****
等、実際の電話番号表記でよく使われる表記方法を全て登録しておけば、電話番号をキーワードとしてハイライト表示させることが可能である。
【００２８】
例文として「○○さんの電話番号は０３−１２ＸＸ−２３ＸＸです」とあれば、０３−１２ＸＸ−２３ＸＸがハイライト表示され、選択することで登録された機能を立ち上げることが出来る。
【００２９】
ここで、キーワードに対応する機能を
機能：電話発信
電話帳登録
と複数登録しておけば、キーワードを選択した際に、どちらの機能を立ち上げるか選択することが出来る。
【００３０】
以下に、図４を参照して本実施の形態の動作について詳細に説明する。
【００３１】
まず、キーワードを設定する（Ｓ４０１）。
【００３２】
次に、テキスト文書をＬＣＤに表示する（Ｓ４０２）。
【００３３】
次に、キーワードの有無を判定する（Ｓ４０３）。ここで、キーワードがあれば（Ｓ４０３／Ｙｅｓ）キーワードをハイライト表示する（Ｓ４０４）。一方、キーワードがなければ（Ｓ４０３／Ｎｏ）ステップＳ４０４に戻る。
【００３４】
機能が複数ある場合には機能を選択する（Ｓ４０５）。
【００３５】
登録された機能が立ち上がる（Ｓ４０６）。
【００３６】
以上説明したように、本実施の形態によれば、メールやＷｅｂ閲覧時にあらかじめ登録したキーワードから関連機能を立ち上げることが可能であり、よく使用する機能を登録しておくことで、複雑なＭＭＩを簡略化でき、利便性を高めるという効果が得られる。
【００３７】
なお、上述する各実施の形態は、本発明の好適な実施の形態であり、本発明の要旨を逸脱しない範囲内において種々変更実施が可能である。例えば、通信装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００３８】
【図１】本発明の実施の形態に係るシステム構成示す図である。
【図２】本発明の実施の形態に係るキーワード設定画面を示す図である。
【図３】本発明の実施の形態に係るハイライト表示の例を示す図である。
【図４】本発明の実施の形態に係る処理動作を示すフローチャートである。
【符号の説明】
【００３９】
０１    メモリ
０２    ＬＣＤ
０３    ＣＰＵ
０４    各種機能
【図１】
2009070222.tif 000003
【図２】
2009070222.tif 000004
【図３】
2009070222.tif 000005
【図４】
2009070222.tif 000006